(57)【要約】【課題】複数の受信部を備える構成に対応する処理を実行できるようにする。【解決手段】印刷装置１１の印刷制御部２０１は、第１受信バッファー２４に格納されたデータに基づく印刷部２１の制御を実行中、第２受信バッファー２６にデータが格納された場合、所定の条件が成立したときに第１受信バッファー２４に格納されたデータに基づく印刷部２１の制御を中断する中断処理を実行し、処理対象を第２受信バッファー２６に切り替え、第２受信バッファー２６に格納されたデータに基づく印刷部２１の制御を行う。【選択図】図２
2016097539.tif 000002
【特許請求の範囲】
【請求項１】
記録媒体に印刷を行う印刷部と、
データを受信する第１受信部と、
前記第１受信部で受信したデータを格納する第１受信バッファーと、
データを受信する第２受信部と、
前記第２受信部で受信したデータを格納する第２受信バッファーと、
処理対象を前記第１受信バッファー、及び、前記第２受信バッファーのいずれかに切り
替え、処理対象としたバッファーに格納されたデータに基づいて前記印刷部を制御する印
刷制御部と、を備え、
前記印刷制御部は、
前記第１受信バッファーに格納されたデータに基づく前記印刷部の制御を実行中、前記
第２受信バッファーにデータが格納された場合、
所定の条件が成立したときに前記第１受信バッファーに格納されたデータに基づく前記
印刷部の制御を中断する中断処理を実行し、処理対象を前記第２受信バッファーに切り替
え、前記第２受信バッファーに格納されたデータに基づく前記印刷部の制御を行う
ことを特徴とする印刷装置。
【請求項２】
データは、複数のコマンドを含んで構成され、
所定の条件は、特定のコマンドに基づく前記印刷部の制御が完了したことである
ことを特徴とする請求項１に記載の印刷装置。
【請求項３】
前記印刷部は、前記記録媒体を切断する機能を有し、
特定のコマンドは、前記記録媒体の切断を指示するコマンドである
ことを特徴とする請求項２に記載の印刷装置。
【請求項４】
特定のコマンドは、特定の画像の印刷を指示するコマンドである
ことを特徴とする請求項２に記載の印刷装置。
【請求項５】
前記印刷制御部は、
前記第２受信バッファーに、前記中断処理の実行を指示するコマンドが格納された場合
、前記中断処理を実行することを特徴とする請求項１乃至４のいずれか１項に記載の印刷
装置。
【請求項６】
前記中断処理の実行を指示する操作スイッチを備え、
前記印刷制御部は、
前記操作スイッチが操作された場合、前記中断処理を実行することを特徴とする請求項
１乃至５のいずれか１項に記載の印刷装置。
【請求項７】
レシートを発行させるデータを送信するＰＯＳ端末と、
所定の情報が印刷された紙片を発行させるデータを送信する制御装置と、
記録媒体に印刷を行い、前記記録媒体を切断して前記レシート又は前記紙片を発行する
印刷部、前記ＰＯＳ端末からデータを受信する第１受信部、前記第１受信部で受信したデ
ータを格納する第１受信バッファー、前記制御装置からデータを受信する第２受信部、前
記第２受信部で受信したデータを格納する第２受信バッファー、及び、処理対象を前記第
１受信バッファーと前記第２受信バッファーとのいずれかに切り替え、処理対象としたバ
ッファーに格納されたデータに基づいて前記印刷部を制御し、また、前記第１受信バッフ
ァーに格納されたデータに基づく前記印刷部の制御を実行中、前記第２受信バッファーに
データが格納された場合、所定の条件が成立したときに前記第１受信バッファーに格納さ
れたデータに基づく前記印刷部の制御を中断する中断処理を実行し、処理対象を前記第２
受信バッファーに切り替え、前記第２受信バッファーに格納されたデータに基づく前記印
刷部の制御を行う印刷制御部を有する印刷装置と、
を備えることを特徴とする印刷システム。
【発明の詳細な説明】
【技術分野】
【０００１】
本発明は、印刷装置、及び、印刷システムに関する。
【背景技術】
【０００２】
従来、複数の受信部（インターフェース）を備え、複数の外部装置から複数の受信部を
介して受信したデータを、受信部ごとに用意された処理プログラムにより処理する印刷装
置（画像形成装置）が知られている（例えば、特許文献１参照）。
【先行技術文献】
【特許文献】
【０００３】
【特許文献１】特開平１０−３１２２５０号公報
【発明の概要】
【発明が解決しようとする課題】
【０００４】
上述した印刷装置のように、受信部が複数ある装置では、受信部が複数ある構成に対応
する処理を行って、記憶資源、計算資源を有効活用等を実現したいとするニーズがある。
本発明は、上述した事情に鑑みてなされたものであり、複数の受信部を備える印刷装置
、及び、当該印刷装置を備える印刷システムについて、受信部が複数ある構成に対応する
処理を行うことを目的とする。
本発明は、上述した事情に鑑みてなされたものであり、複数の受信部を備える印刷装置
、及び、当該印刷装置を備える印刷システムについて、受信部が複数ある構成に対応する
処理を行うことを目的とする。
【課題を解決するための手段】
【０００５】
上記目的を達成するために、本発明の印刷装置は、記録媒体に印刷を行う印刷部と、デ
ータを受信する第１受信部と、前記第１受信部で受信したデータを格納する第１受信バッ
ファーと、データを受信する第２受信部と、前記第２受信部で受信したデータを格納する
第２受信バッファーと、処理対象を前記第１受信バッファー、及び、前記第２受信バッフ
ァーのいずれかに切り替え、処理対象としたバッファーに格納されたデータに基づいて前
記印刷部を制御する印刷制御部と、を備え、前記印刷制御部は、前記第１受信バッファー
に格納されたデータに基づく前記印刷部の制御を実行中、前記第２受信バッファーにデー
タが格納された場合、所定の条件が成立したときに前記第１受信バッファーに格納された
データに基づく前記印刷部の制御を中断する中断処理を実行し、処理対象を前記第２受信
バッファーに切り替え、前記第２受信バッファーに格納されたデータに基づく前記印刷部
の制御を行うことを特徴とする。
本発明の構成によれば、印刷装置は、受信部が複数ある構成に対応する処理を行うこと
ができる。
【０００６】
また、本発明の印刷装置は、データは、複数のコマンドを含んで構成され、所定の条件
は、特定のコマンドに基づく前記印刷部の制御が完了したことであることを特徴とする。
本発明の構成によれば、印刷装置は、特定のコマンドの実行後、中断処理を実行して、
処理対象のバッファーを切り替えることができる。
【０００７】
また、本発明の印刷装置は、前記印刷部は、前記記録媒体を切断する機能を有し、特定
のコマンドは、前記記録媒体の切断を指示するコマンドであることを特徴とする。
本発明の構成によれば、印刷装置は、記録媒体の切断を指示するコマンドの実行後、中
断処理を実行して、処理対象のバッファーを切り替えることができる。
【０００８】
また、本発明の印刷装置は、特定のコマンドは、特定の画像の印刷を指示するコマンド
であることを特徴とする。
本発明の構成によれば、印刷装置は、特定の画像の印刷を指示するコマンドの実行後、
中断処理を実行して、処理対象のバッファーを切り替えることができる。
【０００９】
また、本発明の印刷装置は、前記印刷制御部は、前記第２受信バッファーに、前記中断
処理の実行を指示するコマンドが格納された場合、前記中断処理を実行することを特徴と
する。
本発明の構成によれば、印刷装置は、中断処理の実行を指示するコマンドの受信をトリ
ガーとして、中断処理を実行できる。
【００１０】
また、本発明の印刷装置は、前記中断処理の実行を指示する操作スイッチを備え、前記
印刷制御部は、前記操作スイッチが操作された場合、前記中断処理を実行することを特徴
とする。
本発明の構成によれば、印刷装置は、操作スイッチが操作されたことをトリガーとして
、中断処理を実行できる。
【００１１】
また、本発明の印刷システムは、レシートを発行させるデータを送信するＰＯＳ端末と
、所定の情報が印刷された紙片を発行させるデータを送信する制御装置と、記録媒体に印
刷を行い、前記記録媒体を切断して前記レシート又は前記紙片を発行する印刷部、前記Ｐ
ＯＳ端末からデータを受信する第１受信部、前記第１受信部で受信したデータを格納する
第１受信バッファー、前記制御装置からデータを受信する第２受信部、前記第２受信部で
受信したデータを格納する第２受信バッファー、及び、処理対象を前記第１受信バッファ
ーと前記第２受信バッファーとのいずれかに切り替え、処理対象としたバッファーに格納
されたデータに基づいて前記印刷部を制御し、また、前記第１受信バッファーに格納され
たデータに基づく前記印刷部の制御を実行中、前記第２受信バッファーにデータが格納さ
れた場合、所定の条件が成立したときに前記第１受信バッファーに格納されたデータに基
づく前記印刷部の制御を中断する中断処理を実行し、処理対象を前記第２受信バッファー
に切り替え、前記第２受信バッファーに格納されたデータに基づく前記印刷部の制御を行
う印刷制御部を有する印刷装置と、を備えることを特徴とする。
本発明の構成によれば、印刷システムの印刷装置は、受信部が複数ある構成に対応する
処理を行うことができる。
【図面の簡単な説明】
【００１２】
【図１】本実施形態に係る印刷システムの構成を示す図。
【図２】印刷システムが備える各装置の機能的構成を示すブロック図。
【図３】ＰＯＳ端末、印刷装置の動作を示すフローチャート。
【図４】タブレット端末、印刷装置の動作を示すフローチャート。
【図５】印刷装置の動作を示すフローチャート。
【図６】印刷装置の動作を示すフローチャート。
【図７】印刷装置の動作を示すフローチャート。
【図８】印刷装置の動作を示すフローチャート。
【図９】第１受信バッファーに格納されたデータの様子の一例を示す図。
【発明を実施するための形態】
【００１３】
以下、図面を参照して本発明の実施形態について説明する。
図１は、本実施形態に係る印刷システム１の仕様態様の一例を示す図である。
図１は、来店した顧客に飲み物、及び、食べ物を提供する飲食店Ｔに印刷システム１が
適用された様子を模式的に示す。
図１に示す飲食店Ｔは、ホールＴ１と、キッチンＴ２とに分かれている。
ホールＴ１は、来店した顧客が滞在し、ホールＴ１の担当者（以下、「ホール担当者」
という。）が飲食物の提供等のサービスを顧客に提供するエリアである。ホールＴ１には
、複数のホール担当者が、存在する。ホールＴ１には、料理等を載置可能な複数のテーブ
ルＴＢや、顧客が座るイスＣＨが設けられる。
【００１４】
ホールＴ１において、出入口ＤＧの近傍には、顧客が会計を行う会計カウンターＬＣが
設けられる。会計カウンターＬＣには、ＰＯＳ端末１０と、ＰＯＳ端末１０に有線接続さ
れた印刷装置１１とが設けられる。ＰＯＳ端末１０には、デバイスとして、モニターＭＴ
と、キャッシュドロアーＫＳとが接続される。
顧客の会計に際し、ホール担当者は、ＰＯＳ端末１０に、会計に応じた入力を行う。Ｐ
ＯＳ端末１０は、入力に応じて、モニターＭＴ、及び、キャッシュドロアーＫＳを制御し
、モニターＭＴに会計に関する情報を表示し、また、キャッシュドロアーＫＳを利用した
現金の受け渡しを可能とする。また、ＰＯＳ端末１０は、印刷装置１１を制御して、印刷
装置１１にレシートを発行させる。印刷装置１１により発行されたレシートは、顧客に引
き渡される。
【００１５】
複数のホール担当者には、顧客からの注文を受け付ける際に使用するタブレット端末１
３（制御装置）が、事前に、付与される。タブレット端末１３は、前面にタッチパネル４
１（図２参照）が設けられたタブレット型のコンピューターである。
ホールＴ１において、顧客からの注文を受け付ける際、ホール担当者は、顧客の近くに
行き、顧客から注文を聞き、タブレット端末１３に注文に対応する入力を行う。注文の受
け付けが完了すると、ホール担当者は、会計カウンターＬＣの近くに行き、タブレット端
末１３と、印刷装置１１とを、Bluetooth（登録商標）に従って、無線接続する。次いで
、ホール担当者は、タブレット端末１３に対して所定の入力を行う。当該所定の入力に応
じて、タブレット端末１３は、印刷装置１１を制御して、少なくとも注文された飲食物の
名称、及び、注文された数量が印刷された注文伝票を発行させる。ホール担当者は、印刷
装置１１が発行した注文伝票を、キッチンＴ２の所定の位置に載置する。
【００１６】
キッチンＴ２は、キッチンＴ２の担当者（以下、「キッチン担当者」という。）が飲食
物を作るエリアであり、ドリンクサーバーや、ガスコンロ、冷蔵庫等が設けられる。キッ
チン担当者は、ホール担当者が所定の位置に載置した注文伝票を受け取り、注文伝票に基
づいて、注文が入った飲食物を認識し、飲食物を作る。キッチン担当者が作った飲食物は
、ホール担当者に渡され、ホール担当者により、顧客に引き渡される。
【００１７】
印刷システム１の各装置の機能的構成を示すブロック図である。
【００１８】
印刷装置１１は、ロール紙（記録媒体）を収容し、感熱紙であるロール紙にライン型の
サーマルヘッドによってドットを形成することにより画像を印刷するラインサーマルプリ
ンターである。
図２に示すように印刷装置１１は、制御部２０と、印刷部２１と、記憶部２２と、ＵＳ
Ｂインターフェース２３（第１受信部）と、第１受信バッファー２４と、無線通信インタ
ーフェース２５（第２受信部）と、第２受信バッファー２６と、を備える。
【００１９】
制御部２０は、ＣＰＵや、ＲＯＭ、ＲＡＭ、その他周辺回路等を備え、印刷装置１１を
制御する。制御部２０は、所定の制御プログラムを読み出して実行することにより、印刷
制御部２０１と、第１即時実行コマンド管理部２０２と、第２即時実行コマンド管理部２
０３と、として機能する。これら機能ブロックについては後述する。
【００２０】
印刷部２１は、印刷装置１１の筐体に収容されたロール紙を搬送する搬送機構や、サー
マルヘッドによってロール紙にドットを形成して画像を印刷する印刷機構、ロール紙を所
定の位置で切断する切断機構等を備える。印刷部２１は、制御部２０の制御で、搬送機構
によりロール紙を搬送しつつ、印刷機構によりロール紙に画像を印刷し、切断機構により
所定の位置でロール紙を切断して、上述したレシート、及び、注文伝票を発行する。
【００２１】
記憶部２２は、不揮発性メモリーを備え、各種データを記憶する。記憶部２２は、設定
ファイルＳＦを記憶する。設定ファイルＳＦについては後述する。
【００２２】
ＵＳＢインターフェース２３は、ＵＳＢの規格に従ったポートを有するインターフェー
スボード等を備え、制御部２０の制御で、ポートに接続されたＵＳＢケーブルを介して、
ＰＯＳ端末１０と、ＵＳＢの規格に従って通信する。
第１受信バッファー２４は、ＵＳＢインターフェース２３がＰＯＳ端末１０から受信し
たデータを格納するバッファーである。
【００２３】
無線通信インターフェース２５は、Bluetoothの規格に従った無線通信機能を有する無
線通信モジュール等を備え、制御部２０の制御で、タブレット端末１３と、Bluetoothの
規格に従って無線通信する。
第２受信バッファー２６は、無線通信インターフェース２５がタブレット端末１３から
受信したデータを格納するバッファーである。
【００２４】
ＰＯＳ端末１０は、印刷装置１１を制御するホストコンピューターである。
図２に示すように、ＰＯＳ端末１０は、ＰＯＳ端末制御部３０と、ＰＯＳ端末記憶部３
１と、ＰＯＳ端末通信インターフェース３２と、ＰＯＳ端末入力部３３と、ＰＯＳ端末デ
バイス通信部３４と、を備える。
【００２５】
ＰＯＳ端末制御部３０は、ＣＰＵや、ＲＯＭ、ＲＡＭ、その他周辺回路等を備え、ＰＯ
Ｓ端末１０を制御する。
【００２６】
ＰＯＳ端末記憶部３１は、不揮発性メモリーを備え、各種データを記憶する。
【００２７】
ＰＯＳ端末通信インターフェース３２は、ＰＯＳ端末制御部３０の制御で、印刷装置１
１と、ＵＳＢの規格に従って通信する。
【００２８】
ＰＯＳ端末入力部３３は、テンキーや、操作スイッチ等の入力手段を備え、入力手段に
対する入力を検出し、ＰＯＳ端末制御部３０に出力する。ＰＯＳ端末制御部３０は、ＰＯ
Ｓ端末入力部３３からの入力に基づいて、入力に対応する処理を実行する。
【００２９】
ＰＯＳ端末デバイス通信部３４は、ＰＯＳ端末制御部３０の制御で、ＰＯＳ端末１０に
接続されたデバイスと通信する。ＰＯＳ端末１０には、デバイスとして、モニターＭＴと
、キャッシュドロアーＫＳとが接続される。
モニターＭＴを、液晶表示パネル等の表示手段を備え、ＰＯＳ端末制御部３０の制御絵
、表示手段に各種画像を表示する。
キャッシュドロアーＫＳは、現金を収容するトレイと、筐体からトレイを引き出す引出
機構と、トレイをロックするロック機構とを備える。キャッシュドロアーＫＳは、ＰＯＳ
端末制御部３０の制御で、ロック機構のロックを解除し、引出機構により筐体からトレイ
を引き出す。
【００３０】
タブレット端末１３は、前面にタッチパネル４１が設けられたタブレット型のコンピュ
ーターである。
図２に示すように、タブレット端末１３は、タブレット端末制御部４０と、タッチパネ
ル４１と、タブレット端末記憶部４２と、タブレット端末通信インターフェース４３とを
備える。
【００３１】
タブレット端末制御部４０は、ＣＰＵや、ＲＯＭ、ＲＡＭ、その他周辺回路等を備え、
タブレット端末１３を制御する。
【００３２】
タッチパネル４１は、液晶表示パネル等の表示パネルと、表示パネルに重ねて設けられ
たタッチセンサーとを備える。表示パネルは、タブレット端末制御部４０の制御で、各種
画像を表示する。タッチセンサーは、タッチ操作を検出し、タブレット端末制御部４０に
出力する。タブレット端末制御部４０は、タッチパネル４１からの入力に基づいて、タッ
チ操作に対応する処理を実行する。
【００３３】
タブレット端末記憶部４２は、不揮発性メモリーを備え、各種データを記憶する。
【００３４】
タブレット端末通信インターフェース４３は、タブレット端末制御部４０の制御で、印
刷装置１１と、Bluetoothの規格に従って無線通信する。
【００３５】
次に、レシートを発行するときのＰＯＳ端末１０と、印刷装置１１との動作について、
図３のフローチャートを用いて説明する。
なお、後に詳述するように、本実施形態では、第１受信バッファー２４と、第２受信バ
ッファー２６とのいずれかに処理対象が切り替えられ、第１受信バッファー２４が処理対
象の場合に、印刷装置１１はレシートの発行に係る処理を実行する。しかしながら、以下
の図３のフローチャートを用いた説明では、説明の便宜を考慮して、処理対象が第１受信
バッファー２４である状態が維持されるものとする。
【００３６】
上述したように、会計カウンターＬＣにおける顧客の会計に際し、ホール担当者は、Ｐ
ＯＳ端末１０のテンキー等を介して会計に応じた入力を行う。ＰＯＳ端末１０は、入力に
応じて、モニターＭＴ、及び、キャッシュドロアーＫＳを制御し、モニターＭＴに会計に
関する情報を表示し、また、キャッシュドロアーＫＳを利用した現金の受け渡しを可能と
する。
ＰＯＳ端末１０のＰＯＳ端末制御部３０は、顧客の会計に応じて決済処理を行い、決済
処理に基づいて、レシートの発行を指示する制御データ（以下、「レシート発行データ」
という。）を生成する（ステップＳＡ１）。
詳述すると、ＰＯＳ端末１０は、機能ブロックとして、ＰＯＳアプリケーションを実行
するＰＯＳアプリケーション実行部と、プリンタードライバーを実行するプリンタードラ
イバー実行部と、を備える。
ＰＯＳアプリケーション実行部は、顧客の会計に応じて、レシートに印刷する情報を含
むレシート情報を生成する。レシート情報は、レシートに印刷するロゴに関する情報や、
レシートの発行日時（日付＋時刻）を示す情報、顧客が購入した商品の名称、商品の単価
、購入した商品の数量、税に関する情報、合計購入金額、顧客から受け取った金銭の額、
お釣りを示す情報、その他の情報を含む情報である。ＰＯＳアプリケーション実行部は、
テンキー等の入力手段に対するレジ担当者の入力に基づいてレシート情報を生成する。レ
シート情報の生成後、ＰＯＳアプリケーション実行部は、レシート情報をプリンタードラ
イバー実行部に出力する。
プリンタードライバー実行部は、入力されたレシート情報に基づいて、印刷装置１１の
コマンド体系に従って、レシート発行データを生成する。レシート発行データは、印刷装
置１１のコマンド体系に従った制御コマンドを複数含んで構成されたデータである。
【００３７】
レシート発行データに含まれる制御コマンドのうち、最後の制御コマンドは、ロール紙
の切断を指示する制御コマンド（以下、「カットコマンド」）である。
【００３８】
レシート発行データの生成後、ＰＯＳ端末制御部３０は、ＰＯＳ端末通信インターフェ
ース３２を制御して、生成したレシート発行データを印刷装置１１に送信する（ステップ
ＳＡ２）。
【００３９】
図３（Ｂ）に示すように、印刷装置１１のＵＳＢインターフェース２３は、レシート発
行データを受信し、第１受信バッファー２４に格納する（ステップＳＢ１）。
制御部２０の印刷制御部２０１は、記憶部２２が記憶する設定ファイルＳＦを参照する
（ステップＳＢ２）。
設定ファイルＳＦは、印刷装置１１に関する設定情報が、複数、記録されたデータであ
る。設定情報とは、設定項目と、設定項目にセットされる設定値との組み合わせにより構
成される情報である。
本実施形態では、設定情報の種類として、画像設定情報と、動作設定情報とがある。
【００４０】
画像設定情報とは、記録媒体に記録される画像の印刷結果に影響を与える設定情報であ
る。画像設定情報の設定項目には、例えば、左右上下のマージンや、フォント、行間等が
ある。
画像設定情報は、レシートのレイアウトに応じて、所定の手段で事前に設定される。
【００４１】
動作設定情報とは、印刷装置１１が印刷に係る処理を実行するときの動作に影響を与え
る設定情報である。動作設定情報の設定項目には、例えば、印刷濃度や、印刷速度等があ
る。
【００４２】
設定ファイルＳＦに記録された情報は、所定の手段により、ユーザーが任意のタイミン
グで書き換えることが可能である。
【００４３】
設定ファイルＳＦを参照した後、印刷制御部２０１は、第１受信バッファー２４に格納
されたレシート発行データを読み出す（ステップＳＢ３）。
次いで、印刷制御部２０１は、読み出したレシート発行データに基づいて、設定ファイ
ルＳＦに記録された設定情報（画像設定情報、及び、動作設定情報）に従って、印刷部２
１を制御し、レシートを発行させる（ステップＳＢ４）。
ここで、上述したように、レシート発行データに含まれる制御コマンドのうち、最後の
制御コマンドはカットコマンドである。従って、カットコマンドが最後に実行され、カッ
トコマンドに基づくロール紙の切断により、レシートの発行が完了する。
【００４４】
次に、注文伝票を発行するときのタブレット端末１３と、印刷装置１１との動作につい
て、図４のフローチャートを用いて説明する。
なお、後に詳述するように、本実施形態では、第１受信バッファー２４と、第２受信バ
ッファー２６とのいずれかに処理対象が切り替えられ、第２受信バッファー２６が処理対
象の場合に、印刷装置１１は注文伝票の発行に係る処理を実行する。しかしながら、以下
の図４のフローチャートを用いた説明では、説明の便宜を考慮して、処理対象が第２受信
バッファー２６である状態が維持されるものとする。
【００４５】
なお、タブレット端末１３には、事前に、所定のネイティブアプリケーションがインス
トールされる。以下の説明では、タブレット端末１３のタブレット端末制御部４０の機能
は、ネイティブアプリケーション、その他付随するプログラムにより実現される。
【００４６】
上述したように、ホール担当者は、顧客から注文を聞き、ネイティブアプリケーション
の機能により提供される所定のユーザーインターフェースに、注文に対応する入力を行う
。注文の受け付けが完了すると、ホール担当者は、会計カウンターＬＣの近くに行き、タ
ブレット端末１３と、印刷装置１１とを、Bluetoothに従って、無線接続する。無線接続
時、タブレット端末１３と印刷装置１１との間で、Bluetoothの規格に従ったペアリング
が行われ、これら装置間で通信リンクが確立され、これら装置間でデータの送受信が行え
る状態が確立される。タブレット端末１３と印刷装置１１とを無線接続した後、ホール担
当者は、ユーザーインターフェースに所定の入力を行う。
【００４７】
ユーザーインターフェースに対する所定の入力に応じて、タブレット端末制御部４０は
、注文伝票の発行を指示する制御データ（以下、「注文伝票発行データ」という。）を生
成する（ステップＳＣ１）。上述したように、注文伝票は、少なくとも注文された飲食物
の名称、及び、注文された数量が印刷された紙片である。ここで、ネイティブアプリケー
ションは、上述したＰＯＳアプリケーション、及び、プリンタードライバーの機能と同様
の機能を有するプログラムを有する。タブレット端末制御部４０は、ネイティブアプリケ
ーションの機能により、注文伝票発行データを生成する。
注文伝票発行データは、印刷装置１１のコマンド体系に従った制御コマンドを複数含ん
で構成されたデータである。特に、注文伝票発行データは、先頭の制御コマンドに、設定
ファイル書換コマンドを含む。設定ファイル書換コマンドについては、後述する。
【００４８】
注文伝票発行データに含まれる制御コマンドのうち、最後の制御コマンドは、ロール紙
の切断を指示するカットコマンドである。
【００４９】
注文伝票発行データの生成後、タブレット端末制御部４０は、タブレット端末通信イン
ターフェース４３を制御して、印刷装置１１に、注文伝票発行データを送信する（ステッ
プＳＣ２）。
【００５０】
図４（Ｂ）に示すように、印刷装置１１の無線通信インターフェース２５は、注文伝票
発行データを受信し、第２受信バッファー２６に格納する（ステップＳＤ１）。
次いで、制御部２０の印刷制御部２０１は、記憶部２２が記憶する設定ファイルＳＦを
参照する（ステップＳＤ２）。
次いで、設定ファイルＳＦを参照した後、印刷制御部２０１は、第２受信バッファー２
６に格納された注文伝票発行データを読み出す（ステップＳＤ３）。
次いで、印刷制御部２０１は、読み出した注文伝票発行データに基づいて、設定ファイ
ルＳＦに記録された設定情報（画像設定情報、及び、動作設定情報）に従って、印刷部２
１を制御し、注文伝票を発行させる（ステップＳＤ４）。
ここで、上述したように、注文伝票発行データに含まれる制御コマンドのうち、最後の
制御コマンドはカットコマンドである。従って、カットコマンドが最後に実行され、カッ
トコマンドに基づくロール紙の切断により、注文伝票の発行が完了する。
【００５１】
ところで、飲食店Ｔにおいて、ＰＯＳ端末１０、及び、印刷装置１１により構成される
システム（以下、「ＰＯＳシステム」という。）は、既存のシステムであり、このＰＯＳ
システムを用いて会計が行われていた。そして、従来、注文伝票の発行は、紙媒体の用紙
に、ホール担当者が手書きで注文に関する情報を書き込むことにより行われていた。一方
で、本実施形態の印刷システム１は、印刷装置１１がレシートだけでなく、注文伝票を発
行する構成とし、ホール担当者の作業の負担を低減している。
ここで、飲食店Ｔに、紙片を発行する機能を有する専用の装置を新たに設け、当該専用
の装置により、注文伝票を発行する構成とすることによって、ホール担当者の作業の負担
を低減することも可能である。しかしながら、この構成とした場合、専用の装置を設ける
必要があるため、コストの増大につながる。これを踏まえ、本実施形態では、印刷装置１
１がレシート、及び、注文伝票の双方を発行する構成とし、注文伝票を発行する専用の装
置を設けることに起因したコストの増大を防止する。しかしながら、この構成の場合、以
下の課題、及び、ニーズがある。
【００５２】
すなわち、ＰＯＳシステムは、既存のシステムであり、ＰＯＳシステムが有するＰＯＳ
端末１０に対して、できるだけ改変（例えば、インストールされたＰＯＳアプリケーショ
ンのプログラム修正や、プリンタードライバーのプログラム修正等）を加えたくないとす
るニーズがある。ＰＯＳ端末１０の改変を伴う場合、改変のための作業が必要となり、作
業負担が増大するからである。
また、既存のＰＯＳシステムは、ＰＯＳ端末１０と、印刷装置１１とが一対一の関係で
常時接続されることが前提のシステムである。従って、ＰＯＳ端末１０の制御による印刷
装置１１のレシートの発行が正常に行われる状態を維持した上で、随時、タブレット端末
１３の制御による印刷装置１１の注文伝票の発行が行われるようにする必要がある。また
、印刷装置１１の設定ファイルＳＦに記録された画像設定情報は、レシートのレイアウト
に対応した内容であり、注文伝票のレイアウトに対応した内容ではなく、このことに対応
する処理を実行する必要がある。
また、印刷装置１１についても既存の装置を用いるため、印刷装置１１の記憶資源、計
算資源を有効活用し、印刷装置１１に対してメモリーの増設や、高性能なＣＰＵへの交換
等を行わなくてもいいようにしたい、とするニーズがある。
【００５３】
これらの課題、ニーズを踏まえ、本実施形態に係る印刷装置１１は、以下の処理を実行
する。
【００５４】
図５は、印刷装置１１の動作を示すフローチャートである。
なお、後述するように、印刷装置１１の制御部２０の印刷制御部２０１は、第１受信バ
ッファー２４、又は、第２受信バッファー２６のいずれかに、処理対象とするバッファー
を切り替える。そして、図５のフローチャートの開始時点では、処理対象のバッファーは
、第１受信バッファー２４である。
【００５５】
図５に示すように、印刷制御部２０１は、タブレット端末１３から注文伝票発行データ
を新たに受信し、受信した注文伝票発行データが第２受信バッファー２６に格納されたか
否かを監視する（ステップＳＥ１）。上述したように、無線通信インターフェース２５は
、注文伝票発行データを受信した場合、受信した注文伝票発行データを、第２受信バッフ
ァー２６に、順次、格納する。
印刷制御部２０１は、第１受信バッファー２４、及び、第２受信バッファー２６の状態
を監視しており、これらバッファーに新たなデータが格納された場合、そのことを検出で
きる。
【００５６】
第２受信バッファー２６に注文伝票発行データが格納された場合（ステップＳＥ１：Ｙ
ＥＳ）、印刷制御部２０１は、第１受信バッファー２４に格納されたレシート発行データ
について、全てのレシート発行データの読み出しが完了し、全てのレシート発行データに
基づく処理（レシートの発行）が完了した状態か否かを判別する（ステップＳＥ２）。
印刷制御部２０１は、ステップＳＥ２の判別を、以下のようにして行う。すなわち、上
述したように、レシート発行データに含まれる制御コマンドのうち、最後の制御コマンド
はカットコマンドである。これを踏まえ、印刷制御部２０１は、最後に実行した制御コマ
ンドがカットコマンドであり、かつ、第１受信バッファー２４に読み出しが行われていな
い制御コマンドがない場合、全てのレシート発行データに基づく処理が完了した状態であ
ると判別する。
なお、最後に実行した制御コマンドがカットコマンドではない場合、レシート発行デー
タに含まれる制御コマンドに実行していないものがあり、レシート発行データに基づくレ
シートの発行が完了していない状態である。
【００５７】
第１受信バッファー２４に格納されたレシート発行データに基づく処理が完了した状態
の場合（ステップＳＥ２：ＹＥＳ）、印刷制御部２０１は、バッファー切替処理を実行す
る（ステップＳＥ３）。
【００５８】
図６は、図５のフローチャートのステップＳＥ３のバッファー切替処理の詳細を示すフ
ローチャートである。
図６に示すように、バッファー切替処理において、印刷制御部２０１は、処理対象とす
るバッファーを、第１受信バッファー２４から第２受信バッファー２６へ切り替える（ス
テップＳＦ１）。
処理対象とするバッファーを切り替えるとは、データを読み出す対象とするバッファー
を１のバッファーから他のバッファーへ変更することを意味する。第１受信バッファー２
４が処理対象の場合、印刷制御部２０１は、第１受信バッファー２４からデータ（レシー
ト発行データ）を読み出して実行する。一方、第２受信バッファー２６が処理対象の場合
、印刷制御部２０１は、第２受信バッファー２６からデータ（注文伝票発行データ）を読
み出して実行する。
【００５９】
ステップＳＦ１で処理対象のバッファーを第１受信バッファー２４から第２受信バッフ
ァー２６へ切り替えた後、印刷制御部２０１は、設定ファイルＳＦをコピーしたデータを
所定の記憶領域に記憶する（ステップＳＦ２）。ステップＳＦ２の処理は、設定ファイル
ＳＦを退避する処理に相当する。
次いで、印刷制御部２０１は、設定ファイルＳＦの画像設定情報をリセットする（ステ
ップＳＦ３）。画像設定情報をリセットするとは、画像設定情報が有する設定項目のそれ
ぞれにセットされる設定値をデフォルト値とすることを意味する。
【００６０】
次いで、印刷制御部２０１は、第２受信バッファー２６に格納された注文伝票発行デー
タに含まれる制御コマンドのうち、先頭の制御コマンドである設定ファイル書換コマンド
を読み出す（ステップＳＦ４）。
設定ファイル書換コマンドは、設定ファイルＳＦに記録された画像設定情報の書き換え
を実行させる制御コマンドである。画像設定情報の書き換えとは、画像設定情報が有する
設定項目のそれぞれに、所定の設定値をセットすることを意味する。設定ファイル書換コ
マンドには、画像設定情報の各設定項目と、各設定項目に設定する設定値とを示す情報が
含まれる。設定項目と、設定値との組み合わせを示す情報は、所定の手段により事前にタ
ブレット端末１３に登録される。タブレット端末１３は、注文伝票発行データを生成する
際、登録された情報に基づいて設定ファイル書換コマンドを生成する。
【００６１】
次いで、印刷制御部２０１は、読み出した設定ファイル書換コマンドを実行し、設定フ
ァイルＳＦの画像設定情報を書き換える（ステップＳＦ５）。
このように、本実施形態では、第１受信バッファー２４から第２受信バッファー２６へ
の処理対象の切り替え時に、設定ファイルＳＦの画像設定情報がリセットされる。その後
、第２受信バッファー２６に格納された注文伝票発行データに含まれる設定ファイル書換
コマンドに基づいて、画像設定情報が書き換えられる。この構成のため、画像設定情報の
内容を、注文伝票に対応したものとすることができる。
さらに、本実施形態では、第１受信バッファー２４から第２受信バッファー２６へと処
理対象が切り替わる際に、設定ファイルＳＦに記録された設定情報のうち、動作設定情報
はリセットされず、また、設定ファイル書換コマンドによって書き換えられない。これは
以下の理由による。すなわち、動作設定情報は、上述したように、印刷濃度や、印刷速度
等の印刷装置１１が印刷に係る処理を実行するときの動作に影響を与える設定情報である
。このため、動作設定情報は、レシートを発行したときの印刷結果がフィードバックされ
た上で、印刷装置１１の個体差、飲食店Ｔで行われる業務の実態等を踏まえ、適宜、設定
されるものと想定される。従って、動作設定情報は、発行する紙片の種類に応じて変更せ
ず、発行する紙片の種類にかかわらず同一の情報を利用する方が適切だからである。
なお、設定ファイル書換コマンドに、動作設定情報の書き換えを指示する制御コマンド
が含まれている場合、印刷制御部２０１は、当該制御コマンドを実行せずに読み捨てる。
これにより、処理対象のバッファーの切り替え時に動作設定情報が書き換えられることが
防止される。
【００６２】
画像設定情報の書き換え後、印刷制御部２０１は、設定ファイルＳＦを参照しつつ、第
２受信バッファー２６に格納された注文伝票発行データに含まれる制御コマンドを、順次
、読み出して実行することにより、印刷部２１を制御し、印刷部２１に注文伝票を発行さ
せる（ステップＳＦ６）。
上述したように、注文伝票発行データに含まれる制御コマンドのうち、最後の制御コマ
ンドは、カットコマンドである。こえを踏まえ、ステップＳＦ６で、印刷制御部２０１は
、カットコマンドの実行が完了した場合に、１つの注文伝票の発行が完了したと判別する
。
【００６３】
次いで、印刷制御部２０１は、第２受信バッファー２６に格納された注文伝票発行デー
タについて、全ての注文伝票発行データの読み出しが完了し、全ての注文伝票発行データ
に基づく処理（注文伝票の発行）が完了した状態か否かを判別する（ステップＳＦ７）。
印刷制御部２０１は、ステップＳＦ７の判別を、以下のようにして行う。すなわち、上
述したように、注文伝票発行データに含まれる制御コマンドのうち、最後の制御コマンド
はカットコマンドである。これを踏まえ、印刷制御部２０１は、最後に実行した制御コマ
ンドがカットコマンドであり、かつ、第２受信バッファー２６に読み出しが行われていな
い制御コマンドがない場合、全ての注文伝票発行データに基づく処理が完了した状態であ
ると判別する。
【００６４】
全ての注文伝票発行データに基づく処理が完了した状態でない場合（ステップＳＦ７：
ＮＯ）、印刷制御部２０１は、処理手順をステップＳＦ４へ戻す。
一方、全ての注文伝票発行データに基づく処理が完了した状態である場合（ステップＳ
Ｆ７：ＹＥＳ）、印刷制御部２０１は、処理手順をステップＳＦ８へ移行する。
ステップＳＦ８において、印刷制御部２０１は、所定の記憶領域に記憶した設定ファイ
ルＳＦのコピーに基づいて、設定ファイルＳＦを上書きする（設定ファイルＳＦを復元す
る）。
このステップＳＦ８の処理により、設定ファイルＳＦが、ステップＳＦ１で処理対象が
第１受信バッファー２４から第２受信バッファー２６に切り替えられる直前のものへと復
元される。
設定ファイルＳＦの復元後、印刷制御部２０１は、処理対象とするバッファーを、第２
受信バッファー２６から第１受信バッファー２４へと切り替える（ステップＳＦ９）。
【００６５】
図５に示すように、ステップＳＥ３のバッファー切替処理の完了後、印刷制御部２０１
は、処理手順をステップＳＥ１へ戻す。
【００６６】
一方、ステップＳＥ２において、全てのレシート発行データに基づく処理が完了した状
態でないと判別した場合（ステップＳＥ２：ＮＯ）、印刷制御部２０１は、処理手順をス
テップＳＥ４へ移行する。
ステップＳＥ４において、印刷制御部２０１は、設定ファイルＳＦを参照し、第１受信
バッファー２４に格納されたレシート発行データに格納されたレシート発行データに含ま
れる制御コマンドを、順次、読み出して実行することにより、印刷部２１を制御し、印刷
部２１にレシートを発行させる。
上述したように、レシート発行データに含まれる制御コマンドのうち、最後の制御コマ
ンドは、カットコマンドである。こえを踏まえ、ステップＳＥ４で、印刷制御部２０１は
、カットコマンドの実行が完了した場合に、１つのレシートの発行が完了したと判別する
。
【００６７】
次いで、印刷制御部２０１は、第１受信バッファー２４に格納されたレシート発行デー
タについて、全てのレシート発行データの読み出しが完了し、全てのレシート発行データ
に基づく処理（レシートの発行）が完了した状態か否かを判別する（ステップＳＦ５）。
印刷制御部２０１は、ステップＳＥ５の判別を、以下のようにして行う。すなわち、上
述したように、レシート発行データに含まれる制御コマンドのうち、最後の制御コマンド
はカットコマンドである。これを踏まえ、印刷制御部２０１は、最後に実行した制御コマ
ンドがカットコマンドであり、かつ、第１受信バッファー２４に読み出しが行われていな
い制御コマンドがない場合、全ての注文伝票発行データに基づく処理が完了した状態であ
ると判別する。
【００６８】
全てのレシート発行データに基づく処理が完了した状態ではない場合（ステップＳＥ５
：ＮＯ）、印刷制御部２０１は、処理手順をステップＳＥ４へ戻す。
一方、全てのレシート発行データに基づく処理が完了した状態である場合（ステップＳ
Ｅ５：ＹＥＳ）、印刷制御部２０１は、処理手順をステップＳＥ３へ移行し、上述したバ
ッファー切替処理を実行する。
【００６９】
以上のように、本実施形態では、ＰＯＳ端末１０から印刷装置１１に送信するデータ（
レシート発行データ）が変更されることなく、印刷装置１１は、図５のフローチャートで
説明した処理を実行する。このため、ＰＯＳ端末１０に対する改変（例えば、インストー
ルされたＰＯＳアプリケーションのプログラム修正や、プリンタードライバーのプログラ
ム修正等）が必要ない。
また、印刷装置１１の印刷制御部２０１は、タブレット端末１３から注文伝票発行デー
タを受信した場合、ＰＯＳ端末１０から受信したレシート発行データに基づく処理が完了
した場合に、処理対象を第１受信バッファー２４から第２受信バッファー２６へ切り替え
る。次いで、印刷制御部２０１は、注文伝票発行データに基づく注文伝票の発行を実行す
る。注文伝票の発行後は、印刷制御部２０１は、処理対象を第２受信バッファー２６から
第１受信バッファー２４へ切り替える。このため、ＰＯＳ端末１０の制御による印刷装置
１１のレシートの発行が正常に行われる状態を維持した上で、タブレット端末１３の制御
による印刷装置１１の注文伝票の発行を行うことができる。
また、印刷制御部２０１は、第１受信バッファー２４から第２受信バッファー２６に処
理対象を切り替えるときに設定ファイルＳＦを退避し、第２受信バッファー２６から第１
受信バッファー２４に処理対象を切り替えるときに設定ファイルＳＦを復元する。また、
印刷制御部２０１は、第２受信バッファー２６に格納された注文伝票発行データに基づく
処理を実行する場合は、当該データに含まれる設定ファイル書換コマンドに基づいて、設
定ファイルＳＦの内容を書き換えた後に実行する。このため、印刷制御部２０１は、レシ
ートを発行するときはレシートのレイアウトに対応した印刷を、また、注文伝票を発行す
るときは注文伝票のレイアウトに対応した印刷を実行できる。
また、本実施形態では、通信インターフェース（ＵＳＢインターフェース２３、無線通
信インターフェース２５）ごとに、処理プログラムを用意するのではなく、同一の処理プ
ログラムで動作する印刷制御部２０１が、各通信インターフェースを介して受信したデー
タに基づく処理を実行する。このため、通信インターフェースごとに処理プログラムを用
意する必要がなく、記憶資源、計算資源の有効活用を実現できる。また、本実施形態では
、通信インターフェースごとに設定ファイルＳＦを記憶する構成ではなく、１つの設定フ
ァイルＳＦを必要に応じて切り替えて、使用する構成である。このため、記憶資源の有効
活用を実現できる。
【００７０】
次に、第１即時実行コマンド管理部２０２、及び、第２即時実行コマンド管理部２０３
の機能、及び、機能に基づく処理について説明する。
図７は、第１即時実行コマンド管理部２０２の動作を示すフローチャートである。
図７に示すように、第１即時実行コマンド管理部２０２は、第１受信バッファー２４に
即時実行コマンドが格納されたか否かを監視する（ステップＳＧ１）。
即時実行コマンドは、特定の処理を即時に実行することを指示する制御コマンドである
。後に明らかとなるとおり、第１受信バッファー２４に即時実行コマンドが格納された場
合、第１即時実行コマンド管理部２０２により、即時実行コマンドが即時に読みだされ、
当該コマンドに基づく処理が実行される。
即時実行コマンドとしては、例えば、ステータスの応答を要求するステータス要求コマ
ンドや、第１受信バッファー２４のクリアーを指示するバッファークリアーコマンド、キ
ャッシュドロアーＫＳの開動作を指示するドロアーオープンコマンド等がある。ステータ
スとは、例えば、印刷装置１１のカバーの状態や、印刷部２１のエラーの状態等である。
また、本実施形態では、即時実行コマンドとして、中断処理実行指示コマンドがある。
中断処理実行指示コマンドについては、後述する。
即時実行コマンドは、即時実行コマンドの専用の命令コードを有する。ステップＳＧ１
において、第１即時実行コマンド管理部２０２は、第１受信バッファー２４の状態を監視
し、第１受信バッファー２４に新たに制御データが格納されたか否かを監視する。そして
、第１受信バッファー２４に新たに制御データが格納された場合、当該制御データの命令
コードを参照して、当該制御データが即時実行コマンドであるか否かを判別する。
【００７１】
第１受信バッファー２４に即時実行コマンドが格納された場合（ステップＳＧ１：ＹＥ
Ｓ）、第１即時実行コマンド管理部２０２は、第１受信バッファー２４から即時実行コマ
ンドを読み出し、当該コマンドに基づく処理を実行する（ステップＳＧ２）。例えば、即
時実行コマンドが、上述したステータス応答要求コマンドの場合、第１即時実行コマンド
管理部２０２は、以下の処理を実行する。第１即時実行コマンド管理部２０２は、図示し
ないセンサーの検出値等に基づいて、必要なステータスを取得し、ステータスを表す所定
のフォーマットのデータを生成し、ＵＳＢインターフェース２３を制御して、生成したデ
ータを送信する。ステップＳＧ２の処理により、処理対象のバッファーが、第１受信バッ
ファー２４と第２受信バッファー２６とのいずれであるかにかかわらず、第１受信バッフ
ァー２４に即時実行コマンドが格納された場合、当該コマンドに基づく処理が即時に実行
される。
【００７２】
即時実行コマンドに基づく処理の実行後、第１即時実行コマンド管理部２０２は、第１
受信バッファー２４から、実行が完了した即時実行コマンドを削除し（ステップＳＧ３）
、処理手順をステップＳＧ１へ戻す。
【００７３】
以上、第１即時実行コマンド管理部２０２の処理について説明したが、第２即時実行コ
マンド管理部２０３も、図７のフローチャートで説明した処理と同様の処理を実行する。
これにより、処理対象のバッファーが、第１受信バッファー２４と第２受信バッファー２
６とのいずれであるかにかかわらず、第２受信バッファー２６に即時実行コマンドが格納
された場合、当該コマンドに基づく処理が即時に実行される。
【００７４】
次に、上述した中断処理実行指示コマンド、及び、中断処理実行指示コマンドに関連す
る印刷装置１１の動作について説明する。上述したように、中断処理実行指示コマンドは
、即時実行コマンドの１つである。
【００７５】
ここで、タブレット端末１３は、ユーザー（本例では、ホール担当者）から指示があっ
た場合、印刷装置１１に中断処理実行指示コマンドを送信する機能を有する。ユーザーは
、タブレット端末制御部４０によりタッチパネル４１に表示されるユーザーインターフェ
ースに所定の入力を行うことにより、中断処理実行指示コマンドの送信を指示できる。
中断処理実行指示コマンドは、印刷装置１１に、ＰＯＳ端末１０から受信したデータに
基づく処理を中断させて、処理対象を第１受信バッファー２４から第２受信バッファー２
６に切り替えさせることを指示する即時実行コマンドである。
ユーザーは、例えば、印刷装置１１が、複数枚のレシートを連続して印刷している途中
で、印刷装置１１に注文伝票を発行させたい場合に、中断処理実行指示コマンドの送信を
指示する。
【００７６】
ここで、ＰＯＳ端末１０から受信したデータに基づく処理を中断する場合、以下の課題
がある。すなわち、１のレシートの発行に係るレシート発行データの実行中に、処理を中
断した場合、当該１のレシートの発行が正常に完了しないという課題である。レシートは
、顧客に引き渡すものであるので、１のレシート発行データを受信した場合、当該１のレ
シート発行データに含まれる制御コマンドの実行を中断することなく連続して実行し、当
該１のレシート発行データに基づくレシートの発行を完了させる必要がある。
このことに基づき、印刷装置１１は、以下の処理を実行する。
【００７７】
図８は、中断処理実行指示コマンドを受信した場合の印刷装置１１の動作を示すフロー
チャートである。
なお、図８のフローチャートの開始時点では、処理対象のバッファーは、第１受信バッ
ファー２４である。
図８に示すように、印刷装置１１の制御部２０の第２即時実行コマンド管理部２０３は
、第２受信バッファー２６に中断処理実行指示コマンドが格納されたか否かを監視する（
ステップＳＨ１）。中断処理実行指示コマンドは、専用の命令コードを有する。ステップ
ＳＨ１において、第２即時実行コマンド管理部２０３は、第２受信バッファー２６に新た
に制御データが格納された場合、当該制御データの命令コードを参照して、当該制御デー
タが中断処理実行指示コマンドであるか否かを判別する。
【００７８】
中断処理実行指示コマンドが第２受信バッファー２６に格納された場合（ステップＳＨ
１：ＹＥＳ）、第２即時実行コマンド管理部２０３は、そのことを印刷制御部２０１に通
知する（ステップＳＨ２）。
【００７９】
第２即時実行コマンド管理部２０３から、中断処理実行指示コマンドが第２受信バッフ
ァー２６に格納された旨の通知を受けた印刷制御部２０１は、以下の処理を実行する。
すなわち、印刷制御部２０１は、全てのレシート発行データの読み出しが完了し、全て
のレシート発行データに基づく処理が完了した状態か否かを判別する（ステップＳＨ３）
。
全てのレシート発行データに基づく処理が完了した状態である場合（ステップＳＨ３：
ＹＥＳ）、印刷制御部２０１は、上述したバッファー切替処理を実行する（ステップＳＨ
４）。
ステップＳＨ４の処理により、処理対象のバッファーが第１受信バッファー２４から第
２受信バッファー２６へと切り替えられ、第２受信バッファー２６に格納されたデータに
基づく処理が実行される。第２受信バッファー２６に格納されたデータに基づく処理の実
行が完了した後、処理対象のバッファーが第２受信バッファー２６から第１受信バッファ
ー２４へと切り替えられる。
【００８０】
一方、全てのレシート発行データに基づく処理が完了した状態ではない場合（ステップ
ＳＨ３：ＮＯ）、換言すれば、第１受信バッファー２４に格納されたデータに基づく印刷
部２１の制御を実行中の場合、印刷制御部２０１は、以下の処理を実行する。
印刷制御部２０１は、第１受信バッファー２４に格納された制御コマンドを、順次、読
み出して実行しつつ、カットコマンドの読み出し、及び、実行が完了したか否かを監視す
る（ステップＳＨ５）。
【００８１】
図９は、ステップＳＨ５の処理を説明するため、第１受信バッファー２４に格納された
制御データ（レシート発行データ）を、説明に適した態様で模式的に示す図である。
図９は、第１受信バッファー２４に、第１レシート発行データＲＤ１、第２レシート発
行データＲＤ２、及び、第３レシート発行データＲＤ３の３つのレシート発行データが格
納された様子を示す。第１レシート発行データＲＤ１が１番目に印刷制御部２０１による
読み出し対象となるレシート発行データであり、第２レシート発行データＲＤ２が２番目
の読み出し対象であり、第３レシート発行データＲＤ３が３番目の読み出し対象である。
図９において、第１レシート発行データＲＤ１に含まれる制御コマンドＳＣ１の実行中
に、中断処理実行指示コマンドが第２受信バッファー２６に格納され、ステップＳＨ２で
通知を受けた印刷制御部２０１は、ステップＳＨ５において、以下の処理を実行する。
すなわち、印刷制御部２０１は、第１レシート発行データＲＤ１に含まれる制御コマン
ドＳＣ１以下の制御コマンドを、順次、読み出して実行しつつ、カットコマンドの読み出
し及び実行が完了したか否かを監視する。そして、第１レシート発行データＲＤ１に含ま
れるカットコマンドＣＣ１の読み出し及び実行が完了した場合、カットコマンドの読み出
し及び実行が完了したと判別する。この結果、第２レシート発行データＲＤ２、及び、第
３レシート発行データＲＤ３の読み出し及び実行が行われることなく、処理手順がステッ
プＳＨ６へ移行する。
【００８２】
カットコマンドの読み出し及び実行が完了した場合（ステップＳＨ５：ＹＥＳ）、印刷
制御部２０１は、中断処理を実行する（ステップＳＨ６）。中断処理とは、第１受信バッ
ファー２４に格納されたデータの読み出し及び実行を中断する処理である。ステップＳＨ
６の中断処理において、印刷制御部２０１は、第１受信バッファー２４に、読み出しが行
われていないデータがある状態であっても、データの読み出しを中断する。
中断処理の実行後、印刷制御部２０１は、処理手順をステップＳＨ４へ移行し、上述し
たバッファー切替処理を実行する。
【００８３】
このように、印刷制御部２０１は、第１受信バッファー２４に格納されたデータに基づ
く印刷部２１の制御中に、中断処理実行指示コマンドを受信した場合、印刷部２１の制御
を中断して、バッファー切替処理を実行する。上述したように、バッファー切替処理では
、第２受信バッファー２６に格納されたデータに基づく処理が実行される。
そして、中断処理の実行に際し、印刷制御部２０１は、カットコマンドの読み出し及び
実行が完了した時点で、第１受信バッファー２４に格納されたデータに基づく処理を中断
する。このため、以下の効果を奏する。すなわち、複数のレシート発行データが第１受信
バッファー２４に格納されている場合、実行中のレシート発行データに基づく処理が完了
した時点で、処理対象を第１受信バッファー２４から第２受信バッファー２６へと切り替
えることができる。このため、中断処理実行指示コマンドを受信したタイミングと、バッ
ファーの切り替えが行われるタイミングとの間のタイムラグを短くできる。例えば、図９
に示すように、第１レシート発行データＲＤ１に含まれる制御コマンドＳＣ１の実行中に
、中断処理実行指示コマンドを受信した場合、印刷制御部２０１は、第１レシート発行デ
ータＲＤ１に基づく処理が完了した後にバッファーの切り替えを実行する。このため、第
１受信バッファー２４に既に格納された第２レシート発行データＲＤ２、及び、第３レシ
ート発行データＲＤ３の実行が完了してからバッファーの切り替えを実行する場合と比較
して、上述したタイムラグを短くでき、より陣族にバッファーの切り替えを実行できる。
さらに、印刷制御部２０１は、カットコマンドの読み出し及び実行が完了したことをト
リガーとして、中断処理を実行する。このため、１つのレシートの発行を指示するレシー
ト発行データに含まれる一連の制御コマンドの連続した実行が完了した後、換言すれば、
発行中のレシートの発行が完了した後、中断処理が実行される。従って、中断処理の実行
に起因してレシートの発行が正常に完了しないことを防止できる。
【００８４】
以上説明したように、本実施形態に係る印刷装置１１は、ロール紙（記録媒体）に印刷
する印刷部２１と、データを受信するＵＳＢインターフェース２３（第１受信部）、ＵＳ
Ｂインターフェース２３で受信したデータを格納する第１受信バッファー２４と、データ
を受信する無線通信インターフェース２５（第２受信部）と、無線通信インターフェース
２５で受信したデータを格納する第２受信バッファー２６と、処理対象を第１受信バッフ
ァー２４、及び、第２受信バッファー２６のいずれかに切り替え、処理対象としたバッフ
ァーに格納されたデータに基づいて印刷部２１を制御する印刷制御部２０１と、を備える
。
印刷制御部２０１は、第１受信バッファー２４に格納されたデータに基づく印刷部２１
の制御を実行中、第２受信バッファー２６にデータが格納された場合、所定の条件が成立
したときに第１受信バッファー２４に格納されたデータに基づく印刷部２１の制御を中断
する中断処理を実行し、処理対象を第２受信バッファー２６に切り替え、第２受信バッフ
ァー２６に格納されたデータに基づく印刷部２１の制御を行う。
この構成によれば、印刷装置１１は、第１受信バッファー２４に格納されたデータに基
づく処理の実行中に、第２受信バッファー２６に格納されたデータに基づく処理を実行で
きる。すなわち、印刷装置１１は、複数のインターフェース（受信部）を備える構成に対
応する処理を行うことができる。
【００８５】
また、本実施形態では、印刷装置１１が受信するデータ（レシート発行データ、注文伝
票発行データ）は、複数のコマンドを含んで構成される。そして、印刷制御部２０１は、
カットコマンドに基づく印刷部２１の制御が完了した場合に、中断処理を実行する。
この構成によれば、印刷装置１１は、レシート発行データ、及び、注文伝票発行データ
に含まれる制御コマンドのうち最後の制御コマンドがカットコマンドであることを利用し
て、レシートの発行を制御に行ったうえで、中断処理を実行できる。
【００８６】
また、本実施形態では、印刷制御部２０１は、第２受信バッファー２６に、中断処理実
行指示コマンド（中断処理の実行を指示するコマンド）が格納された場合、中断処理を実
行する。
この構成によれば、ユーザーは、タブレット端末１３から印刷装置１１に中断処理実行
指示コマンドを送信させることにより、印刷装置１１に中断処理を実行させて、タブレッ
ト端末１３からのデータに基づく処理を実行させることができる。
【００８７】
＜第１の変形例＞
次に、第１の変形例について説明する。
上述した実施形態では、印刷制御部２０１は、カットコマンドの読み出し及び実行が完
了したことをトリガーとして、中断処理を実行する。
一方で、第１の変形例では、印刷制御部２０１は、特定の画像の印刷を指示するコマン
ドの読み出し及び実行が完了したことをトリガーとして、中断処理を実行する。この場合
、印刷制御部２０１は、中断処理の実行時に、ロール紙を切断する処理を実行する。
この構成によれば、特定の画像が、連続してロール紙に印刷される画像の区切りとなっ
ており、当該特定の画像の印刷後にロール紙を切断したとしても、問題がない場合に、第
１受信バッファー２４に格納されたデータに基づく処理を迅速に中断して、バッファーの
切り替えを実行できる。
【００８８】
＜第２の変形例＞
次に、第２の変形例について説明する。
上述した実施形態では、印刷装置１１は、中断処理実行指示コマンドを受信した場合に
、中断処理を実行した。
一方、第２の変形例では、印刷制御部２０１は、印刷装置１１に設けられた図示しない
操作スイッチが操作されたことをトリガーとして中断処理を実行する。
この構成によれば、ユーザーは、印刷装置１１に設けられた操作スイッチを操作すると
いう簡易な作業を行うことにより、印刷装置１１に中断処理を実行させることができる。
【００８９】
なお、上述した実施の形態は、あくまでも本発明の一態様を示すものであり、本発明の
範囲内で任意に変形および応用が可能である。
上述した実施形態では、通信インターフェースは、ＵＳＢインターフェース２３と、無
線通信インターフェース２５の２つであった。しかしながら、印刷装置１１が備える通信
インターフェースの数は２つに限らず、３つ以上であってもよい。また、通信インターフ
ェースが対応する通信プロトコルも、ＵＳＢや、Bluetoothに限らず、例えば、イーサネ
ット（登録商標）でもよく、ＲＳ２３２Ｃ等の所定のシリアル通信に係る規格でもよい。
また、上述した実施形態では、印刷装置１１は、タブレット端末１３からの要求に応じ
て、注文伝票を発行していたが、印刷装置１１がＰＯＳ端末１０以外の装置からの要求に
応じて発行する紙片は注文伝票に限らず、整理番号が印刷された紙片や、クーポン等でも
よい。
また、上述した実施形態では、印刷システム１が飲食店Ｔに適用された場合を例示した
が、印刷システム１が適用される施設は飲食店Ｔに限らない。
また、上述した実施形態では、処理対象のバッファーの切り替えに応じて、設定ファイ
ルＳＦに記録された設定情報のうち、画像設定情報が書き換えられる構成であったが、動
作設定情報も併せて書き換えられる構成であってもよい。
【符号の説明】
【００９０】
１…印刷システム、１０…ＰＯＳ端末（制御装置）、１３…タブレット端末（制御装置
）、１１…印刷装置、２１…印刷部、２３…ＵＳＢインターフェース（第１受信部）、２
４…第１受信バッファー、２５…無線通信インターフェース（第２受信部）、２６…第２
受信バッファー、２０１…印刷制御部。
【図１】
2016097539.tif 000003
【図２】
2016097539.tif 000004
【図３】
2016097539.tif 000005
【図４】
2016097539.tif 000006
【図５】
2016097539.tif 000007
【図６】
2016097539.tif 000008
【図７】
2016097539.tif 000009
【図８】
2016097539.tif 000010
【図９】
2016097539.tif 000011